(57)【要約】【課題】張り車装置の水平調整作業時においてレールクリップを緩めたときに、張り車重りの重さにより張り車等があおられて取付板がガイドレールから外れることがなく作業性が良好であるエレベーターの調速機ロープ張り車装置及びその治具を提供する。【解決手段】昇降路内に立設されたガイドレール４に固定された取付板１３を介して取付けられ調速機ロープ９が巻き掛けられた張り車８と、張り車を介して調速機ロープに所定の張力を与える張り車重り１６と、を有する調速機ロープ張り車装置において、取付板に固定されるガイドレールくわえ金具１７、１８と、ガイドレールくわえ金具に設けられ、ガイドレールの、取付板固定位置とは異なる位置に係合するレールくわえ部１９と、を備え、レールくわえ部は、取付板がガイドレールとの固定が緩められた際にガイドレール長手方向に摺動可能に係合する構成の治具とする。【選択図】図３
2011116545.tif 000002
【特許請求の範囲】
【請求項１】
昇降路内に立設されたガイドレールに固定された取付板を介して取付けられ、調速機ロープが巻き掛けられた張り車と、この張り車を介して前記調速機ロープに所定の張力を与える張り車重りと、を有するエレベーターの調速機ロープ張り車装置に装着される治具であって、
前記取付板に固定されるガイドレールくわえ金具と、
前記ガイドレールくわえ金具に設けられ、前記ガイドレールの、前記取付板が固定されている位置とは異なる位置に係合するレールくわえ部と、を備え、
前記レールくわえ部は、前記取付板が前記ガイドレールとの固定が緩められた際に、前記ガイドレールに対して前記ガイドレールの長手方向に摺動可能に係合することを特徴とするエレベーターの調速機ロープ張り車装置の治具。
【請求項２】
前記ガイドレールくわえ金具は、平面視略コ字型のレールくわえ部をそれぞれ有し、前記略コ字型の開口部同士が互いに対向するように配置して連結された一対のガイドレールくわえ金具からなり、
前記一対のガイドレールくわえ金具の前記レールくわえ部は、前記ガイドレールの基部を両側から挟持するようにして係合することを特徴とする請求項１に記載のエレベーターの調速機ロープ張り車装置の治具。
【請求項３】
前記取付板は、レールクリップ及びこのレールクリップを締結するクリップボルトを用いて前記ガイドレールに固定されており、
前記ガイドレールくわえ金具は、治具取付用長孔が穿設された治具取付部を備え、前記治具取付用長孔に挿通された前記クリップボルトを用いて前記取付板に固定されることを特徴とする請求項１又は請求項２のいずれかに記載のエレベーターの調速機ロープ張り車装置の治具。
【請求項４】
昇降路内に立設されたガイドレールに固定された取付板を介して取付けられ、調速機ロープが巻き掛けられた張り車と、この張り車を介して前記調速機ロープに所定の張力を与える張り車重りと、を有するエレベーターの調速機ロープ張り車装置であって、
請求項１から請求項３のいずれかに記載のエレベーターの調速機ロープ張り車装置の治具が装着されたエレベーターの調速機ロープ張り車装置。
【発明の詳細な説明】
【技術分野】
【０００１】
この発明は、エレベーターの調速機ロープ張り車装置及びその治具に関するものである。
【背景技術】
【０００２】
図６は、従来におけるエレベーターの調速機ロープ張り車装置を示すものである。
図において、４はエレベーターの昇降路内に立設された一対のガイドレールである。ガイドレール４の昇降路底部寄り位置には、略矩形の板状体である取付板１３がレールクリップ１０により固定されている。より詳しくは、取付板１３及び一対のレールクリップ１０によりガイドレール４の基部が挟持され、取付板１３の背面側から挿通されたクリップボルト１１及びクリップナット１２によりレールクリップ１０が取付板１３に締結されることにより、取付板１３はガイドレール４の昇降路底部寄り所定位置に固定されている。
【０００３】
そして、取付板１３には、張り車腕１４の一端側が張り車腕軸１５を介して回動自在に取付けられており、この張り車腕１４の他端側には、調速機ロープ９が巻き掛けられる張り車８が回転自在に取付けられている。また、張り車腕１４の他端側には、調速機ロープ９に所定の張力を与えるための張り車重り１６も設けられている。
張り車８の位置は、張り車腕軸１５を中心として回動自在であって、張り車重り１６の自重により下方へと荷重が掛けられることにより調速機ロープ９には常に所定の張力が与えられる構成となっている。
【０００４】
また、従来におけるエレベーターの調速機ロープ張り車装置においては、調速機ロープが伸びたときに張り車重りを容易に水平状態に移動させることを目的とするものとして、調速機ロープの下端に巻掛けられた張り車とこの張り車を支持するリンクの他端に設けられた張り車重りと、前記リンクの一端に回動自在に軸体を介して枢支する部材と、この部材をかごのガイドレールにレールクリップを介して固定する調速機ロープ張り車装置において、前記ガイドレールにレールクリップを介して固定される取付板（ブラケット）と、この取付板に穿設され、この取付板と前記部材を固定するボルトを介して、前記部材が上下方向にスライド可能な長孔と、前記取付板の上部に設けられ、ネジ体を介して前記部材を下方向に押し下げ可能なネジ孔と、を備えたものも知られている（例えば、特許文献１参照）。
【先行技術文献】
【特許文献】
【０００５】
【特許文献１】特開平０９−２４０９５３号公報
【発明の概要】
【発明が解決しようとする課題】
【０００６】
このような調速機ロープ張り車装置においては、調速機ロープが伸びたとき等に調速機ロープの張り車の位置を取付板に対して水平状態となるように調整することが必要である。
しかしながら、図６に示された従来におけるエレベーターの調速機ロープ張り車装置においては、上述の水平調整作業の際に張り車を支持してガイドレールに固定する取付板のレールクリップを緩めたときに、張り車重りの重さにより張り車やこれを支持する取付板があおられて取付板がガイドレールから完全に外れてしまい、特に作業員が一人しかいない場合の作業性が著しく悪化してしまうという課題がある。
【０００７】
また、特許文献１に示された従来におけるエレベーターの調速機ロープ張り車装置においては、取付板自体に上下方向の長孔やネジ孔が設けられており、例えば図６に示すような従来一般的に用いられている張り車装置に適用しようとした場合に、この従来の取付板を交換することが必要であり、従来の取付板を有効に利用することができないという課題がある。
【０００８】
この発明は、このような課題を解決するためになされたもので、第１の目的は張り車装置の水平調整作業時においてレールクリップを緩めたときに、張り車重りの重さにより張り車等があおられて取付板がガイドレールから外れることがなく、特に作業員が一人しかいない場合の作業性が良好であるエレベーターの調速機ロープ張り車装置及びその治具を得るものである。
また、第２の目的は、上述の第１の目的を達成するにあたり、従来の取付板を交換することなく、従来の取付板を有効に利用することが可能であるエレベーターの調速機ロープ張り車装置及びその治具を得るものである。
【課題を解決するための手段】
【０００９】
この発明に係るエレベーターの調速機ロープ張り車装置の治具においては、昇降路内に立設されたガイドレールに固定された取付板を介して取付けられ、調速機ロープが巻き掛けられた張り車と、この張り車を介して前記調速機ロープに所定の張力を与える張り車重りと、を有するエレベーターの調速機ロープ張り車装置に装着される治具であって、前記取付板に固定されるガイドレールくわえ金具と、前記ガイドレールくわえ金具に設けられ、前記ガイドレールの、前記取付板が固定されている位置とは異なる位置に係合するレールくわえ部と、を備え、前記レールくわえ部は、前記取付板が前記ガイドレールとの固定が緩められた際に、前記ガイドレールに対して前記ガイドレールの長手方向に摺動可能に係合する構成とする。
【００１０】
また、この発明に係るエレベーターの調速機ロープ張り車装置は、昇降路内に立設されたガイドレールに固定された取付板を介して取付けられ、調速機ロープが巻き掛けられた張り車と、この張り車を介して前記調速機ロープに所定の張力を与える張り車重りと、を有するエレベーターの調速機ロープ張り車装置であって、上述の治具が装着された構成とする。
【発明の効果】
【００１１】
この発明に係るエレベーターの調速機ロープ張り車装置及びその治具においては、張り車装置の水平調整作業時においてレールクリップを緩めたときに、張り車重りの重さにより張り車等があおられて取付板がガイドレールから外れることがなく作業性が良好であるという効果を奏する。
また、従来の取付板を交換することなく従来の取付板を有効に利用して上述の効果を奏することが可能であるという効果を併せ奏する。
【図面の簡単な説明】
【００１２】
【図１】この発明の実施の形態１に係るエレベーターの全体構成の概略を模式的に示す図である。
【図２】この発明の実施の形態１に係るエレベーターの調速機ロープ張り車装置の治具の構成を示す図である。
【図３】この発明の実施の形態１に係る治具を使用した状態のエレベーターの調速機ロープ張り車装置を正面から見た図である。
【図４】この発明の実施の形態１に係る治具を使用した状態のエレベーターの調速機ロープ張り車装置を背面から見た図である。
【図５】この発明の実施の形態１に係る治具の取付け方法を説明するエレベーターの調速機ロープ張り車装置の要部断面図である。
【図６】従来におけるエレベーターの調速機ロープ張り車装置を示す正面図である。
【発明を実施するための形態】
【００１３】
この発明を添付の図面に従い説明する。各図を通じて同符号は同一部分又は相当部分を示しており、その重複説明は適宜に簡略化又は省略する。
【００１４】
実施の形態１．
図１から図５は、この発明の実施の形態１に係るもので、図１はエレベーターの全体構成の概略を模式的に示す図、図２はエレベーターの調速機ロープ張り車装置の治具の構成を示す図、図３は治具を使用した状態のエレベーターの調速機ロープ張り車装置を正面から見た図、図４は治具を使用した状態のエレベーターの調速機ロープ張り車装置を背面から見た図、図５は治具の取付け方法を説明するエレベーターの調速機ロープ張り車装置の要部断面図である。
【００１５】
図において１はエレベーターの昇降路であり、この昇降路１内には乗客等を積載して昇降するかご２が昇降自在に配置されている。また、昇降路内には、このかご２にかかる荷重を補償するための釣合い重り３が昇降自在に配置されている。
昇降路１内には一対のガイドレール４が立設されている。そして、かご２は、このガイドレール４に摺動自在に係合しており、その昇降はこのガイドレール４により案内されている。また、釣合い重り３の昇降についても図示しないガイドレールにより案内されている。
【００１６】
昇降路の頂部には、かご２及び釣合い重り３の昇降を駆動するための巻上機６が配設されている。
かご２の上部には主ロープ５の一端が連結されており、この主ロープ５の中間が巻上機６の駆動綱車に巻き掛けられた上で、主ロープ５の他端が釣合い重り３の上部に連結されることにより、かご２及び釣合い重り３は昇降路内につるべ状に吊持されている。
【００１７】
昇降路頂部の巻上機６に隣接して調速機７が設置されており、昇降路１の底部近傍には張り車８が回転自在に設けられている。この調速機７と張り車８との間には調速機ロープ９が無端状に巻き掛けられている。この調速機ロープ９は一側においてかご２に係止されており、かご２が移動すると調速機ロープ９が周回して調速機７の綱車がかご２の移動速度に応じた回転方向及び回転速度で回転する。
【００１８】
張り車８は、昇降路の底部寄りにおいてガイドレール４に固定された取付板１３及び張り車腕１４を介して、回転自在に取付けられている。
すなわち、ガイドレール４の昇降路底部寄り位置には、略矩形の板状体である取付板１３がレールクリップ１０により固定されている。より詳しくは、取付板１３及び一対のレールクリップ１０によりガイドレール４の基部が挟持され、取付板１３の背面側から挿通されたクリップボルト１１及びクリップナット１２によりレールクリップ１０が取付板１３に締結されることにより、取付板１３はガイドレール４の昇降路底部寄り所定位置に固定されている。
【００１９】
そして、取付板１３には、張り車腕１４の一端側が張り車腕軸１５を介して回動自在に取付けられており、この張り車腕１４の他端側には、調速機ロープ９が巻き掛けられる張り車８が回転自在に取付けられている。また、張り車腕１４の他端側には、調速機ロープ９に所定の張力を与えるための張り車重り１６も設けられている。
張り車８の位置は、張り車腕軸１５を中心として回動自在であって、張り車重り１６の自重により下方へと荷重が掛けられることにより調速機ロープ９には常に所定の張力が与えられている。
【００２０】
図２はエレベーターの調速機ロープ張り車装置の治具を示すものである。この治具は第１のガイドレールくわえ金具１７及び第２のガイドレールくわえ金具１８から構成されている。
第１のガイドレールくわえ金具１７の一端側（図２の上側）は正面視略逆Ｌ字型であり、この一端側には平面視略コ字型のレールくわえ部１９が形成されている。そして、この第１のガイドレールくわえ金具１７の他端側（図２の下側）は正面視略逆Ｔ字型を呈し、この逆Ｔ字型の横辺部は治具取付部２０を形成している。この治具取付部２０には治具取付用長孔２１が穿設されている。
【００２１】
また、第２のガイドレールくわえ金具１８は第１のガイドレールくわえ金具１７と略対称形をなす部材である。すなわち、第１のガイドレールくわえ金具１７の一端側の前記逆Ｌ字型部は図２の右側に突出するように形成される一方、第２のガイドレールくわえ金具１８の一端側の逆Ｌ字型部は図２の左側に突出するよう形成されている。そして、この一端側には図２の手前側へと平面視略コ字型のレールくわえ部１９が形成され、他端側は正面視略逆Ｔ字型であってこの逆Ｔ字型の横辺部である治具取付部２０には治具取付用長孔２１が穿設されている。
【００２２】
第１のガイドレールくわえ金具１７及び第２のガイドレールくわえ金具１８は、これらの前記逆Ｌ字型部においてくわえ金具連結ボルト２２により連結されている。この際、第１のガイドレールくわえ金具１７及び第２のガイドレールくわえ金具１８のそれぞれのレールくわえ部１９同士は、このコ字型の開口部同士が互いに対向するように配置されている。
【００２３】
このように構成された治具は次のようにして調速機ロープ張り車装置に対して装着される。すなわち、第１のガイドレールくわえ金具１７及び第２のガイドレールくわえ金具１８のレールくわえ部１９は、取付板１３の上方側（又は下方側）の近傍においてガイドレール４の基部を両側から挟持するようにして摺動自在に係合している。
これは換言すると、レールくわえ部は、ガイドレールにおける、取付板が固定されている位置とは異なる位置に係合しているということである。
【００２４】
そして、クリップボルト１１を利用して第１のガイドレールくわえ金具１７及び第２のガイドレールくわえ金具１８の治具取付用長孔２１を介して、取付板１３に取付けられる。
より詳しくは、図５に示すように、第１のガイドレールくわえ金具１７及び第２のガイドレールくわえ金具１８は取付板１３の背面側からあてがわれる。そして、クリップボルト１１は取付板１３の背面側から、ガイドレールくわえ金具の治具取付用長孔２１、取付板１３の孔の順で挿通され、座金２３が通された上で、固定ナット２４が螺嵌される。
【００２５】
このようにして、治具（第１のガイドレールくわえ金具１７及び第２のガイドレールくわえ金具１８）が取付板１３に取付けられた上で、クリップボルト１１がレールクリップ１０の孔に挿通され、クリップナット１２により締結されて、レールクリップ１０及び取付板１３によりガイドレール４の基部が挟持されることにより、張り車装置はガイドレール４に取付けられる。
【００２６】
このように構成された治具が装着された調速機ロープ張り車装置において、調速機ロープが伸びたとき等に調速機ロープの張り車の位置を取付板に対して水平状態となるように調整する水平調整作業の際に、従来と同じく、張り車を支持してガイドレールに固定する取付板のレールクリップを緩めるべく、クリップナット１２を緩める。
この際、クリップボルト１１及び固定ナット２４により取付板１３に固定された治具である第１のガイドレールくわえ金具１７及び第２のガイドレールくわえ金具１８のレールくわえ部１９が、取付板１３の上方側においてガイドレール４基部に摺動自在に係合しており、張り車重り１６の重さにより取付板１３があおられることがなく、取付板１３がガイドレール４から外れてしまうことがない。
【００２７】
そして、レールくわえ部は、取付板がガイドレールとの固定が緩められた際に、ガイドレールに対してガイドレールの上下方向（長手方向）に摺動可能に係合されており、従って、レールくわえ部１９をガイドレール４基部に対して上下（長手方向）に摺動させつつ、取付板１３を調速機ロープ９の伸びに対応した所望の位置へと移動させた上で、クリップナット１２を締めてこの所望位置において取付板１３を固定することにより、水平調整作業が完了する。
【００２８】
以上のように構成されたエレベーターの調速機ロープ張り車装置の治具は、昇降路内に立設されたガイドレールに固定された取付板を介して取付けられ、調速機ロープが巻き掛けられた張り車と、この張り車を介して調速機ロープに所定の張力を与える張り車重りと、を有するエレベーターの調速機ロープ張り車装置に装着される治具であって、取付板に固定されるガイドレールくわえ金具と、ガイドレールくわえ金具に設けられ、ガイドレールの、取付板が固定されている位置とは異なる位置に係合するレールくわえ部と、を備え、レールくわえ部は、取付板がガイドレールとの固定が緩められた際に、ガイドレールに対してガイドレールの長手方向に摺動可能に係合するものである。
このため、この治具を用いることにより、張り車装置の水平調整作業時においてレールクリップを緩めたときに、張り車重りの重さにより張り車等があおられて取付板がガイドレールから外れることがなく、特に作業員が一人しかいない場合の作業性が良好である。
【００２９】
また、取付板がレールクリップ及びこのレールクリップを締結するクリップボルトを用いてガイドレールに固定されている調速機ロープ張り車装置において、ガイドレールくわえ金具は、治具取付用長孔が穿設された治具取付部を備え、治具取付用長孔に挿通されたクリップボルトを用いて取付板に固定されている。このため、元来調速機ロープ張り車装置が備えているクリップボルトを有効に活用して本願発明に係る治具を装着することが可能である。
なお、この際、治具取付用長孔におけるクリップボルトの挿通位置を調節することにより、様々なレールクリップ間寸法の張り車装置に対して適用可能である。
【符号の説明】
【００３０】
１    昇降路
２    かご
３    釣合い重り
４    ガイドレール
５    主ロープ
６    巻上機
７    調速機
８    張り車
９    調速機ロープ
１０    レールクリップ
１１    クリップボルト
１２    クリップナット
１３    取付板
１４    張り車腕
１５    張り車腕軸
１６    張り車重り
１７    第１のガイドレールくわえ金具
１８    第２のガイドレールくわえ金具
１９    レールくわえ部
２０    治具取付部
２１    治具取付用長孔
２２    くわえ金具連結ボルト
２３    座金
２４    固定ナット
【図１】
2011116545.tif 000003
【図２】
2011116545.tif 000004
【図３】
2011116545.tif 000005
【図４】
2011116545.tif 000006
【図５】
2011116545.tif 000007
【図６】
2011116545.tif 000008